(57)【要約】【課題】上下方向の投影角調整を極く簡単に行なうことができる投影型表示装置を提供する。【解決手段】本体部ケース１内に、光を一方向に投射する光源８を設け、一部を本体部ケース１に枢支され、前記本体部ケース１に対して起伏回動可能に設けられた投影部ケース１２内に、入射光の出射を制御して画像を表示する画像表示素子１６とその表示面から出射した画像光を外部の投影面に投影する投影レンズ１７を設けるとともに、本体部ケース１と投影部ケース１２との対向部に、本体部ケース１内の光源８からの投射光を投影部ケース１２内に導入するための導光部２０を設け、投影部ケース１２内に、前記導光部２０から投影部ケース１２内に導入された光を画像表示素子１６に入射させる光学系２５を設けた。【選択図】図２
2006201292.tif 000002
【特許請求の範囲】
【請求項１】
本体部ケースと、一部を前記本体部ケースに枢支され、前記本体部ケースに対して起伏回動可能に設けられた投影部ケースとを備え、
前記本体部ケース内に、光を一方向に投射する光源が設けられ、
前記投影部ケース内に、入射光の出射を制御して画像を表示する画像表示素子と前記画像表示素子の表示面から出射した画像光を外部の投影面に投影する投影レンズが設けられるとともに、
前記本体部ケースと投影部ケースとの対向部に、前記本体部ケース内の前記光源からの投射光を前記投影部ケース内に導入するための導光部が設けられ、
前記投影部ケース内に、前記導光部から前記投影部ケース内に導入された光を前記画像表示素子に入射させる光学系が設けられていることを特徴とする投影型表示装置。
【請求項２】
投影部ケースは、本体部ケースの前後方向に沿う細長箱状に形成されており、この投影部ケース内の後端側に、画像表示素子がその表示面を前記投影部ケースの前面に向けて配置され、その前側に投影レンズが、その入射端を前記画像表示素子の表示面に対向させ、出射端を前記投影部ケースの前面に設けられた投影窓に対向させて配置されていることを特徴とする請求項１に記載の投影型表示装置。
【請求項３】
本体部ケースは、平面形状が略正方形または略長方形の平箱状に形成されており、投影部ケースは、その側面の一部を、前記側面に対して垂直に設けられた支軸により本体部ケースの側面に枢支され、前記本体部ケースの側方にその前後方向と平行に倒伏された状態と、前面側を前記本体部ケースの上方に引き起こされた状態とに回動可能に設けられていることを特徴とする請求項２に記載の投影型表示装置。
【請求項４】
投影部ケースは、本体部ケースの前後方向の長さと略同じ長さを有しており、前記本体部ケースの側方に、前記投影部ケースの前後面がそれぞれ前記本体部ケースの前後面と略面一になるように倒伏されることを特徴とする請求項３に記載の投影型表示装置。
【請求項５】
投影部ケースは、本体部ケースの高さと略同じ高さを有しており、前記本体部ケースの側方に、前記投影部ケースの上下面がそれぞれ前記本体部ケースの上下面と略面一になるように倒伏されることを特徴とする請求項３または４に記載の投影型表示装置。
【請求項６】
投影部ケースを本体部ケースに枢支する支軸は中空軸からなっており、前記中空軸内の空間により、前記本体部ケース内の光源からの投射光を前記投影部ケース内に導入するための導光部が形成されていることを特徴とする請求項３に記載の投影型表示装置。
【請求項７】
画像表示素子は、その表示面から入射した光を反射して前記表示面から出射する反射型表示素子であり、投影部ケースは、前記反射型表示素子と投影レンズの入射端との間の部分に対応する位置において中空軸により本体部ケースに枢支されており、前記本体部ケース内の光源は、その光の投射方向を前記中空軸内の導光部に向けて配置され、前記導光部から前記投影部ケース内に導入された光を前記反射型表示素子に入射させる光学系は、前記反射型表示素子から出射して前記投影レンズに入射する画像光の光路を挟んで前記導光部とは反対側に配置され、前記導光部から前記投影部ケース内に導入された光を反射して前記反射型表示素子にその表示面から入射させる反射板からなっていることを特徴とする請求項６に記載の投影型表示装置。
【発明の詳細な説明】
【技術分野】
【０００１】
この発明は、投影型表示装置に関する。
【背景技術】
【０００２】
投影型表示装置は、そのケース内に、光を一方向に投射する光源と、入射光の出射を制御して画像を表示する画像表示素子と、前記画像表示素子の表示面から出射した画像光を外部の投影面に投影する投影レンズと、前記光源からの投射光を前記画像表示素子に入射させる光学系とを設けた構成となっている（特許文献１参照）。
【特許文献１】特開平０６―０８２８１２号公報
【発明の開示】
【発明が解決しようとする課題】
【０００３】
従来の投影型表示装置は、ケース底面に高さ調節可能な足部材を備えており、画像光の上下方向の投影角の調整は、ケースを手で持ち上げて装置全体の傾き角を調整し、その傾き角に合わせて足高さを調節することにより行なわれている。
【０００４】
しかし、前記足高さの調節は面倒であり、特に、画像光の投影中は、光源の発熱により高温になったケースを注意して持ち上げ、その状態を維持しながら足高さを調節しなければならないため、投影角調整が困難である。
【０００５】
この発明は、上下方向の投影角調整を極く簡単に行なうことができる投影型表示装置を提供することを目的としたものである。
【課題を解決するための手段】
【０００６】
この発明の投影型表示装置は、本体部ケースと、一部を前記本体部ケースに枢支され、前記本体部ケースに対して起伏回動可能に設けられた投影部ケースとを備え、前記本体部ケース内に、光を一方向に投射する光源が設けられ、前記投影部ケース内に、入射光の出射を制御して画像を表示する画像表示素子と前記画像表示素子の表示面から出射した画像光を外部の投影面に投影する投影レンズが設けられるとともに、前記本体部ケースと投影部ケースとの対向部に、前記本体部ケース内の前記光源からの投射光を前記投影部ケース内に導入するための導光部が設けられ、前記投影部ケース内に、前記導光部から前記投影部ケース内に導入された光を前記画像表示素子に入射させる光学系が設けられていることを特徴とする。
【０００７】
この投影型表示装置においては、前記投影部ケースを、前記本体部ケースの前後方向に沿う細長箱状に形成し、この投影部ケース内の後端側に、前記画像表示素子をその表示面を前記投影部ケースの前面に向けて配置し、その前側に前記投影レンズを、その入射端を前記画像表示素子の表示面に対向させ、出射端を前記投影部ケースの前面に設けられた投影窓に対向させて配置するのが望ましい。
【０００８】
さらに、この投影型表示装置においては、前記本体部ケースを、平面形状が略正方形または略長方形の平箱状に形成し、前記細長箱状の投影部ケースを、その側面の一部を前記側面に対して垂直に設けられた支軸により本体部ケースの側面に枢支させ、前記本体部ケースの側方にその前後方向と平行に倒伏された状態と、前面側を前記本体部ケースの上方に引き起こされた状態とに回動可能に設けるのが望ましい。
【０００９】
その場合、前記投影部ケースは、前記本体部ケースの前後方向の長さと略同じ長さを有しており、前記本体部ケースの側方に、前記投影部ケースの前後面がそれぞれ前記本体部ケースの前後面と略面一になるように倒伏されるのが望ましい。
【００１０】
また、前記投影部ケースは、前記本体部ケースの高さと略同じ高さを有しており、前記本体部ケースの側方に、前記投影部ケースの上下面がそれぞれ前記本体部ケースの上下面と略面一になるように倒伏されるのが望ましい。
【００１１】
この投影型表示装置においては、前記投影部ケースを前記本体部ケースに枢支する支軸を中空軸とし、前記中空軸内の空間により、前記本体部ケース内の光源からの投射光を前記投影部ケース内に導入するための導光部を形成するのが好ましい。
【００１２】
さらに、この投影型表示装置においては、前記画像表示素子を、その表示面から入射した光を反射して前記表示面から出射する反射型表示素子とし、前記投影部ケースを、前記反射型表示素子と前記投影レンズの入射端との間の部分に対応する位置において前記中空軸により前記本体部ケースに枢支するとともに、前記本体部ケース内の光源を、その光の投射方向を前記中空軸内の導光部に向けて配置し、前記導光部から前記投影部ケース内に導入された光を前記反射型表示素子に入射させる光学系を、前記反射型表示素子から出射して前記投影レンズに入射する画像光の光路を挟んで前記導光部とは反対側に配置され、前記導光部から前記投影部ケース内に導入された光を反射して前記反射型表示素子にその表示面から入射させる反射板により構成するのが好ましい。
【発明の効果】
【００１３】
この発明の投影型表示装置は、本体部ケース内に、光を一方向に投射する光源を設け、一部を前記本体部ケースに枢支され、前記本体部ケースに対して起伏回動可能に設けられた投影部ケース内に、入射光の出射を制御して画像を表示する画像表示素子と前記画像表示素子の表示面から出射した画像光を外部の投影面に投影する投影レンズを設けるとともに、前記本体部ケースと投影部ケースとの対向部に、前記本体部ケース内の光源からの投射光を前記投影部ケース内に導入するための導光部を設け、前記投影部ケース内に、前記導光部から前記投影部ケース内に導入された光を前記画像表示素子に入射させる光学系を設けたものであるため、前記光源からの投射光を前記画像表示素子に入射させ、この画像表示素子の表示面から出射した画像光を前記投影レンズにより外部の投影面に投影することができる。
【００１４】
そして、この投影型表示装置は、前記投影部ケースを、その一部を前記本体部ケースに枢支して前記本体部ケースに対して起伏回動可能に設けているため、画像光の上下方向の投影角調整を、前記投影部ケースの起伏回動により行なうことができる。
【００１５】
また、画像光の投影中は、前記本体部ケースが前記光源の発熱により高温になるが、前記投影部ケースの温度はあまり高くならないため、この投影部ケースを手で容易に起伏回動させることができる。
【００１６】
そのため、この投影型表示装置によれば、上下方向の投影角調整を極く簡単に行なうことができる。
【００１７】
この投影型表示装置においては、前記投影部ケースを、前記本体部ケースの前後方向に沿う細長箱状に形成し、この投影部ケース内の後端側に、前記画像表示素子をその表示面を前記投影部ケースの前面に向けて配置し、その前側に前記投影レンズを、その入射端を前記画像表示素子の表示面に対向させ、出射端を前記投影部ケースの前面に設けられた投影窓に対向させて配置するのが望ましく、このようにすることにより、前記投影部ケースとその内部に設けられた画像表示素子及び投影レンズからなる投影部を小型化することができる。
【００１８】
さらに、この投影型表示装置においては、前記本体部ケースを、平面形状が略正方形または略長方形の平箱状に形成し、前記細長箱状の投影部ケースを、その側面の一部を前記側面に対して垂直に設けられた支軸により本体部ケースの側面に枢支させ、前記本体部ケースの側方にその前後方向と平行に倒伏された状態と、前面側を前記本体部ケースの上方に引き起こされた状態とに回動可能に設けるのが望ましく、このようにすることにより、不使用時に、前記本体部ケースの側方に前記投影部ケースを倒伏させ、表示装置全体をフラットにして保管または携帯することができる。
【００１９】
その場合、前記投影部ケースは、前記本体部ケースの前後方向の長さと略同じ長さを有しており、前記本体部ケースの側方に、前記投影部ケースの前後面がそれぞれ前記本体部ケースの前後面と略面一になるように倒伏されるのが望ましく、このようにすることにより、前記本体部ケースの側方に前記投影部ケースを倒伏させたときの表示装置全体の平面形状を略矩形状にし、保管や携帯を容易にすることができる。
【００２０】
また、前記投影部ケースは、前記本体部ケースの高さと略同じ高さを有しており、前記本体部ケースの側方に、前記投影部ケースの上下面がそれぞれ前記本体部ケースの上下面と略面一になるように倒伏されるのが望ましく、このようにすることにより、前記本体部ケースの側方に前記投影部ケースを倒伏させたときの表示装置の高さを装置全体にわたって略同じにし、保管や携帯を容易にすることができる。
【００２１】
この投影型表示装置においては、前記投影部ケースを前記本体部ケースに枢支する支軸を中空軸とし、前記中空軸内の空間により、前記本体部ケース内の光源からの投射光を前記投影部ケース内に導入するための導光部を形成するのが好ましく、このようにすることにより、前記投影部ケースをどのような引き起こし角で回動させても、前記本体部ケース内の光源からの投射光を前記導光部を通して前記投影部ケース内に導入し、その光を前記画像表示素子に入射させることができる。
【００２２】
さらに、この投影型表示装置においては、前記画像表示素子を、その表示面から入射した光を反射して前記表示面から出射する反射型表示素子とし、前記投影部ケースを、前記反射型表示素子と前記投影レンズの入射端との間の部分に対応する位置において前記中空軸により前記本体部ケースに枢支するとともに、前記本体部ケース内の光源を、その光の投射方向を前記中空軸内の導光部に向けて配置し、前記導光部から前記投影部ケース内に導入された光を前記反射型表示素子に入射させる光学系を、前記反射型表示素子から出射して前記投影レンズに入射する画像光の光路を挟んで前記導光部とは反対側に配置され、前記導光部から前記投影部ケース内に導入された光を反射して前記反射型表示素子にその表示面から入射させる反射板により構成するのが好ましく、このようにすることにより、表示装置全体を小型化し、保管や携帯をさらに容易にすることができる。
【発明を実施するための最良の形態】
【００２３】
図１及び図２はこの発明の一実施例を示しており、図１は投影型表示装置の斜視図、図２は前記投影型表示装置の横断面図である。
【００２４】
この投影型表示装置は、本体部ケース１と、一部を前記本体部ケース１に枢支され、前記本体部ケース１に対して起伏回動可能に設けられた投影部ケース１２とを備えている。
【００２５】
前記本体部ケース１は、平面形状が略正方形または略長方形の平箱状に形成されており、その下面の４隅部に足部材２が設けられるとともに、後面と側面に、外気を取込む吸気部３と、ケース１内の空気を排出する排気部４が設けられ、上面に、放音部５及びキーボード６が設けられている。
【００２６】
さらに、この本体部ケース１の後面には、図示しないが、パーソナルコンピュータや画像再生装置等の外部機器に接続される画像／音声信号入力端子、商用電源接続端子等が設けられている。
【００２７】
そして、前記本体部ケース１内には、前記排気部４に対応させて、本体部ケース１内の空気を強制排気するための複数台の空冷ファン７ａ，７ｂ，７ｃが配置され、前記放音部５に対応させて図示しないスピーカが配置されている。
【００２８】
さらに、この本体部ケース１内には、光を一方向に投射する光源８が設けられるとともに、前記光源８の配置部を避けて、電源部、画像信号処理回路、光源駆動回路、スピーカ駆動回路、ファン駆動回路等を備えた制御回路１１が設けられている。
【００２９】
前記光源８は、超高圧水銀ランプ等の高輝度の光を放射する光源ランプ９と、内部に配置された前記光源ランプ９からの放射光を一点に集光する方向に反射して前面の開放部から出射する楕円球面リフレクタ１０とからなっている。
【００３０】
一方、前記投影部ケース１２は、前記本体部ケース１の前後方向に沿う細長箱状に形成されており、この投影部ケース１２には、その前面に投影窓１３が設けられるとともに、後面と側面に、投影部ケース１２内を自然空冷するための通気部１４ａ，１４ｂが設けられている。
【００３１】
そして、この投影部ケース１２内には、その後端側に、入射光の出射を制御して画像を表示する画像表示素子１６が、その表示面を前記投影部ケース１２の前面に向けて配置され、その前側に、前記画像表示素子１６の表示面から出射した画像光を図示しないスクリーン等の外部の投影面に投影する投影レンズ１７が、その入射端を前記画像表示素子１６の表示面に対向させ、出射端を前記投影部ケース１２の前面の投影窓１３に対向させて配置されるとともに、前記画像表示素子１６の表示駆動回路１８が設けられている。
【００３２】
なお、前記投影レンズ１７はズーミングレンズであり、前記投影部ケース１２の前記通気部１４ｂが設けられた側面には、前記投影レンズ１７のズーミング操作部１７ａに対応させてズーミング用開口１５が設けられている。
【００３３】
また、前記画像表示素子１６は、その表示面から入射した光を反射して前記表示面から出射する反射型表示素子であり、この実施例では、複数のマイクロミラー（図示せず）が行方向及び列方向にマトリックス状に配列した表示エリアを有するマイクロミラー表示素子を用いている。以下、この反射型表示素子１６をマイクロミラー表示素子という。
【００３４】
前記マイクロミラー表示素子１６は、その正面方向に対して一方の方向に傾いた入射方向から所定の入射角で入射した光の反射方向を、前記複数のマイクロミラーの傾き方向の切換えにより前記正面方向と斜め方向とに制御して画像を表示するものであり、このマイクロミラー表示素子１６は、その正面方向に反射される画像光の出射方向を前記投影レンズ１７の入射端に向けて配置され、その後側に、前記マイクロミラー表示素子１６の表示駆動回路１８が配置されている。
【００３５】
前記投影部ケース１２は、前記通気部１４ｂとズーミング用開口１５が設けられた側面とは反対側の側面の一部を、前記側面に対して垂直に設けられた支軸１９により前記本体部ケース１の排気部４が設けられた側面とは反対側の側面に枢支され、前記本体部ケース１の側方にその前後方向と平行に倒伏された状態と、前面側を前記本体部ケース１の上方に引き起こされた状態とに回動可能に設けられている。
【００３６】
この実施例では、前記投影部ケース１２の長さ方向の中央部よりも後端側に片寄った部分を前記支軸１９により前記本体部ケース１の側面に枢支している。
【００３７】
また、前記投影部ケース１２は、前記本体部ケース１の前後方向の長さ及び高さと略同じ長さ及び高さを有しており、前記本体部ケース１の側方に、投影部ケース１２の前後面がそれぞれ本体部ケース１の前後面と略面一になり、前記投影部ケース１２の上下面がそれぞれ前記本体部ケース１の上下面と略面一になるように倒伏される。
【００３８】
そして、前記本体部ケース１と投影部ケース１２との対向部には、前記本体部ケース１内の光源８からの投射光を前記投影部ケース１２内に導入するための導光部２０が設けられており、さらに、前記投影部ケース１２内には、前記導光部２０から投影部ケース１２内に導入された光を前記マイクロミラー表示素子１６にその表示面から入射させる光学系２５が設けられている。
【００３９】
この実施例では、前記投影部ケース１２の側面の外側に、両端が投影部ケース１２の内外に開放する中空軸からなる支軸（以下、中空軸という）１９を突設し、この中空軸１９内の空間により、前記本体部ケース１内の光源８からの投射光を前記投影部ケース１２内に導入するための導光部２０を形成している。
【００４０】
前記中空軸１９は、前記本体部ケース１の側面から本体部ケース１内に前記側面に対して垂直に突設され、両端が前記本体部ケース１の内外に開放する軸受け筒２１内に周方向に回動可能に嵌装されており、この中空軸１９の先端に螺合されたナット部材２２により抜け止めされている。
【００４１】
なお、この実施例では、前記ナット部材２２を前記軸受け筒２１の端面に適度な摩擦力で当接させ、その摩擦力により、前記投影部ケース１２を、倒伏状態と任意の角度の引き起こし状態とに維持するようにしている。
【００４２】
そして、前記本体部ケース１内の光源８は、本体部ケース１の前後方向の中央部よりも後側に片寄った位置に、その光の投射方向を前記中空軸１９内の導光部２０に向けるとともに、投射光の光軸Ｏ１を前記中空軸１９の中心線に一致させて配置されている。
【００４３】
また、前記導光部２０内の本体部ケース１内に開放する側には、前記光源８からの投射光、つまり前記光源ランプ９から放射され、楕円球面リフレクタ１０により一点に集光する方向に反射された光を一端面から入射させ、その光の強度分布を均一にして他端面から出射する導光ロッド２３が、その中心線を前記光源８からの投射光の光軸Ｏ１に一致させて配置されており、前記導光部２０の投影部ケース１２内に開放する側には、前記導光ロッド２３からの出射光を平行光に補正するコンデンサレンズ２４が配置されている。
【００４４】
なお、前記導光ロッド２３は、前記マイクロミラー表示素子１６の表示エリアに対応する断面形状を有する角棒体または角筒体からなっており、その一端面から入射した光をロッド外周面と外気（空気）との界面またはロッド外周面に形成された反射膜により反射して屈折させながら導き、強度分布を均一化した光を他端面から出射する。
【００４５】
また、前記導光部２０から投影部ケース１２内に導入された光を前記マイクロミラー表示素子１６にその表示面から入射させる光学系２５は、前記マイクロミラー表示素子１６から出射して前記投影レンズ１７に入射する画像光の光路を挟んで前記導光部２０とは反対側に配置され、前記導光部２０から前記投影部ケース１２内に、前記導光ロッド２３により強度分布を均一化され、前記コンデンサレンズ２４により平行光に補正されて導入された光を反射して前記マイクロミラー表示素子１６にその表示面から入射させる反射板２６からなっており、この反射板２６は、前記光源８からの投射光の光軸（コンデンサレンズ２４により平行光に補正された光の光軸）Ｏ１と前記マイクロミラー表示素子１６からの画像光の光軸Ｏ２の両方に対し、略４５°の傾き角で配置されている。
【００４６】
さらに、前記本体部ケース１内には、前記光源８からの投射光を赤、緑、青の３色の単位色に順次着色するためのカラーホィール２７が設けられている。このカラーホィール２７は、扇形状の赤、緑、青の３色のカラーフィルタを周方向に交互に並べて設けた円板状の回転板からなっており、モータ２８により高速で回転駆動される。
【００４７】
そして、この投影型表示装置では、前記光源８からの投射光を前記カラーホィール２７により赤、緑、青の３色の単位色に順次着色してマイクロミラー表示素子１６に入射させるとともに、前記マイクロミラー表示素子１６の各画素に、前記赤、緑、青の３色の単位色光の入射期間に対応させて赤、緑、青の３色の単位色画像データを順次書込むことにより、前記マイクロミラー表示素子１６に赤、緑、青の３色の単位色画像を順次表示させ、その単位色画像を順次外部の投影面に投影して赤、緑、青の３色の単位色画像が重なって見えるフルカラー画像を投影面に表示するようにしている。
【００４８】
この投影型表示装置は、本体部ケース１内に、光を一方向に投射する光源８を設け、一部を前記本体部ケース１に枢支され、前記本体部ケース１に対して起伏回動可能に設けられた投影部ケース１２内に、入射光の出射を制御して画像を表示する画像表示素子１６と前記画像表示素子１６の表示面から出射した画像光を外部の投影面に投影する投影レンズ１７を設けるとともに、前記本体部ケース１と投影部ケース１２との対向部に、前記本体部ケース１内の光源８からの投射光を前記投影部ケース１２内に導入するための導光部２０を設け、前記投影部ケース１２内に、前記導光部２０から前記投影部ケース１２内に導入された光を前記画像表示素子１６に入射させる光学系２５を設けたものであるため、前記光源８からの投射光を前記画像表示素子１６画像表示素子に入射させ、この画像表示素子１６の表示面から出射した画像光を前記投影レンズ１７により外部の投影面に投影することができる。
【００４９】
そして、この投影型表示装置は、前記投影部ケース１２を、その一部を前記本体部ケース１に枢支して前記本体部ケース１に対して起伏回動可能に設けているため、画像光の上下方向の投影角調整を、前記投影部ケース１２の起伏回動により行なうことができる。
【００５０】
また、画像光の投影中は、前記本体部ケース１が前記光源８の発熱により高温になるが、前記投影部ケース１２の温度はあまり高くならないため、この投影部ケース１２を手で容易に起伏回動させることができる。
【００５１】
そのため、この投影型表示装置によれば、上下方向の投影角調整を極く簡単に行なうことができる。
【００５２】
また、この投影型表示装置は、前記投影部ケース１２を、前記本体部ケース１の前後方向に沿う細長箱状に形成し、この投影部ケース１２内の後端側に、前記画像表示素子１６をその表示面を前記投影部ケース１２の前面に向けて配置し、その前側に前記投影レンズ１７を、その入射端を前記画像表示素子１６の表示面に対向させ、出射端を前記投影部ケース１２の前面に設けられた投影窓１３に対向させて配置しているため、前記投影部ケース１２とその内部に設けられた画像表示素子１６及び投影レンズ１７からなる投影部を小型化することができる。
【００５３】
さらに、この投影型表示装置は、前記本体部ケース１を、平面形状が略正方形または略長方形の平箱状に形成し、前記細長箱状の投影部ケース１２を、その側面の一部を前記側面に対して垂直に設けられた支軸１９により本体部ケース１の側面に枢支させ、前記本体部ケース１の側方にその前後方向と平行に倒伏された状態と、前面側を前記本体部ケース１の上方に引き起こされた状態とに回動可能に設けているため、不使用時に、前記本体部ケース１の側方に前記投影部ケース１２を倒伏させ、表示装置全体をフラットにして保管または携帯することができる。
【００５４】
そして、前記投影部ケース１２は、前記本体部ケース１の前後方向の長さと略同じ長さを有しており、前記本体部ケース１の側方に、前記投影部ケース１２の前後面がそれぞれ前記本体部ケース１の前後面と略面一になるように倒伏されるため、本体部ケース１の側方に投影部ケース１２を倒伏させたときの表示装置全体の平面形状を略矩形状にし、保管や携帯を容易にすることができる。
【００５５】
また、前記投影部ケース１２は、前記本体部ケース１の高さと略同じ高さを有しており、前記本体部ケース１の側方に、前記投影部ケース１２の上下面がそれぞれ前記本体部ケース１の上下面と略面一になるように倒伏されるため、本体部ケース１の側方に投影部ケース１２を倒伏させたときの表示装置の高さを装置全体にわたって略同じにし、保管や携帯を容易にすることができる。
【００５６】
また、この投影型表示装置は、前記投影部ケース１２を前記本体部ケース１に枢支する支軸１９を中空軸とし、前記中空軸１９内の空間により、前記本体部ケース１内の光源８からの投射光を前記投影部ケース１２内に導入するための導光部２０を形成しているため、前記投影部ケース１２をどのような引き起こし角で回動させても、前記本体部ケース１内の光源８からの投射光を前記導光部２０を通して前記投影部ケース１２内に導入し、その光を前記画像表示素子１６に入射させることができる。
【００５７】
さらに、この投影型表示装置は、前記画像表示素子１６を、その表示面から入射した光を反射して前記表示面から出射する反射型表示素子の一種であるマイクロミラー表示素子とし、前記投影部ケースを、前記マイクロミラー表示素子１６と前記投影レンズ１７の入射端との間の部分に対応する位置において前記中空軸１９により前記本体部ケース１に枢支するとともに、前記本体部ケース１内の光源８を、その光の投射方向を前記中空軸１９内の導光部２０に向けて配置し、前記導光部２０から前記投影部ケース１２内に導入された光を前記マイクロミラー表示素子１６に入射させる光学系２５を、前記マイクロミラー表示素子１６から出射して前記投影レンズ１７に入射する画像光の光路を挟んで前記導光部２０とは反対側に配置され、前記導光部２０から前記投影部ケース１２内に導入された光を反射して前記マイクロミラー表示素子１６にその表示面から入射させる反射板２６により構成しているため、表示装置全体を小型化し、保管や携帯をさらに容易にすることができる。
【００５８】
なお、上記実施例では、光源８からの投射光を赤、緑、青の３色の単位色に順次着色するためのカラーホィール２７を本体部ケース１内に配置しているが、このカラーホィール２７は、投影部ケース１２内の前記コンデンサレンズ２４と前記マイクロミラー表示素子１６からの画像光の光路との間部分、あるいは前記画像光の光路の途中に配置してもよい。
【００５９】
また、上記投影型表示装置は、入射光の出射を制御して画像を表示する画像表示素子にマイクロミラー表示素子１６を用いたものであるが、前記画像表示素子は反射型液晶表示素子でもよく、その場合は、前記反射型液晶表示素子にその各画素にそれぞれ対応する赤，緑，青のカラーフィルタを設け、前記カラーホィール２７を省略してもよい。
【００６０】
さらに、上記投影型表示装置は、表示面から入射した光を反射して前記表示面から出射する反射型表示素子を備えたものであるが、前記画像表示素子は、透過型液晶表示素子でもよく、その場合は、本体部ケース１内の光源８からの投射光を投影部ケース１２内に導入するための導光部２０よりも前側に前記透過型液晶表示素子を配置し、その後側に、前記導光部２０から投影部ケース１２内に導入された光を前記透過型表示素子に入射させる光学系を設ければよい。
【００６１】
また、上記実施例では、本体部ケース１内の光源８を、光源ランプ９と、前記光源ランプ９からの放射光を一点に集光する方向に反射する楕円球面リフレクタ１０とにより構成しているが、前記リフレクタを例えば円錐面リフレクタとし、その出射側に、前記光源ランプ９から放射され、前記円錐面リフレクタにより反射された光を一点に集光する集光レンズを配置してもよい。
【００６２】
さらにまた、上記実施例では、前記導光部２０内の本体部ケース１内に開放する側に、前記光源８からの投射光を一端面から入射させ、その光の強度分布を均一にして他端面から出射する導光ロッド２３を設けているが、この導光ロッド２３は省略してもよく、その場合は、前記導光部２０内の本体部ケース１内に開放する側に、前記光源８からの投射光を平行光に補正して前記導光部２０を透過させるレンズを設ければよい。
【００６３】
また、上記実施例では、投影部ケース１２を本体部ケース１に枢支する支軸１９を中空軸とし、この中空軸１９内の空間により、前記本体部ケース１内の光源８からの投射光を投影部ケース１２内に導入するための導光部２０を形成しているが、前記光源８からの投射光を投影部ケース１２内に導入するための導光部は、前記本体部ケース１と投影部ケース１２との対向部の他の部分、つまり本体部ケース１に対する投影部ケース１２の枢支部以外の部分に設けてもよく、その場合は、前記導光部を投影部ケース１２の枢支部付近に設けるとともに、前記導光部から投影部ケース１２内に導入された光を画像表示素子１６に入射させる光学系２５の反射板２６の角度を、投影部ケース１２の引き起こし角に応じて変化させ、前記導光部を通して前記投影部ケース１２内に導入された光を前記画像表示素子１６に入射させるようにすればよい。
【００６４】
さらに、上記実施例では、投影部ケース１２の側面の一部を支軸１９により本体部ケース１の側面に枢支させているが、前記投影部ケース１２は、その下面の一部を本体部ケース１の上面に枢支させて前記本体部ケース１上に起伏回動可能に設けてもよい。
【図面の簡単な説明】
【００６５】
【図１】この発明の一実施例を示す投影型表示装置の斜視図。
【図２】前記投影型表示装置の横断面図。
【符号の説明】
【００６６】
１…本体部ケース、８…光源、９…光源ランプ、１０…リフレクタ、１２…投影部ケース、１３…投影窓、１６…マイクロミラー表示素子（反射型表示素子）、１７…投影レンズ、１９…支軸（中空軸）、２０…導光部、２３…導光ロッド、２４…コンデンサレンズ、２５…光学系、２６…反射板、２７…カラーホィール。
【図１】
2006201292.tif 000003
【図２】
2006201292.tif 000004